(57)【要約】      （修正有）【課題】手動式移動棚の安全性を高める機能として、電源、電池、バッテリ等を不要としつつ、安全性を高めるための動作表示灯を備えた手動式移動棚を提供する。【解決手段】操作ハンドル３と、操作ハンドル３と一体的に構成され操作ハンドル３を回転することによって回転するハンドル回転軸と、ハンドル回転軸と連結された移動棚本体の底部に回転自在に支持された車輪軸が回転することにより移動可能な手動式移動棚において、発電回転軸と、発電回転軸に取り付けられ発電回転軸の回転に伴い発電を行う発電機と、移動棚本体に視認可能に取り付けられた表示器１９とを有し、手動式移動棚が移動中に発電機によって得られる電力によって表示器１９が点灯または点滅する。【選択図】図３
2015033523.tif 000002
【特許請求の範囲】
【請求項１】
操作ハンドルと、前記操作ハンドルと一体的に構成され前記操作ハンドルを回転することによって回転するハンドル回転軸と、前記ハンドル回転軸と連結された移動棚本体の底部に回転自在に支持された車輪軸が回転することにより移動可能な手動式移動棚において、
発電回転軸と、前記発電回転軸に取り付けられ前記発電回転軸の回転に伴い発電を行う発電機と、前記移動棚本体に視認可能に取り付けられた表示器とを有し、前記手動式移動棚が移動中に前記発電機によって得られる電力によって前記表示器が点灯または点滅することを特徴とする手動式移動棚。
【請求項２】
請求項１記載の手動式移動棚において、
前記発電回転軸は前記操作ハンドルと一体的に構成されていることを特徴とする手動式移動棚。
【請求項３】
請求項２記載の手動式移動棚において、
前記ハンドル回転軸と前記発電回転軸との間には減速機構が配設されていることを特徴とする手動式移動棚。
【請求項４】
請求項１記載の手動式移動棚において、
前記発電回転軸は前記車輪軸であることを特徴とする手動式移動棚。
【請求項５】
請求項１ないし４の何れか一つに記載の手動式移動棚において、
前記表示器は棚の正面に配設されていることを特徴とする手動式移動棚。
【請求項６】
請求項５記載の手動式移動棚において、
前記表示器は２個以上設けられており、棚が右行する場合には右行用の表示器が作動し、棚が左行する場合には左行用の表示器が作動することを特徴とする手動式移動棚。
【請求項７】
請求項６記載の手動式移動棚において、
前記表示器は、棚が右行する場合には右行用の色で点灯し、棚が左行する場合には左行用の色で点灯することを特徴とする手動式移動棚。
【請求項８】
請求項１ないし７の何れか一つに記載の手動式移動棚において、
前記表示器の光源はＬＥＤであることを特徴とする手動式移動棚。
【発明の詳細な説明】
【技術分野】
【０００１】
本発明は、手動式の移動棚に関する。
【背景技術】
【０００２】
従来、手動式移動棚の多くはバックヤードに設置される場合が多く、使用者が限られていて使用頻度が比較的少なく現状の機能で危険性は少なかった。しかしこの手動式移動棚をオープンスペースに設置する場合には、操作方法や動作をあまり知らない不特定多数の人々が使用するため、危険度が増加することが考えられる。
【０００３】
電動式移動棚においては、移動中に表示灯を点灯させたり音を発したりして周囲に棚が移動していることに対する注意を促すことも可能であるが、手動式移動棚においては動力が人力（手動）であるため特別に電源を引き込まない限りは上述のように表示灯を点灯させることはできず、また電源を引き込むことは手動式移動棚の大きなメリットを半減させてしまう。
【先行技術文献】
【特許文献】
【０００４】
【特許文献１】特開２００３−６３６２０号公報
【特許文献２】特開２０１２−２０１１４１号公報
【発明の概要】
【発明が解決しようとする課題】
【０００５】
上述の手動式移動棚の問題点として、以下のことが挙げられる。先ず、開いている通路があり、その通路が閉じられる方向に移動棚が移動しているとき、操作者以外の人が気付かず通路に入ろうとすると挟まれる危険性がある。また、手動式移動棚は走行する場合に移動棚だけではなく移動中の各棚のハンドルも回転するため、安易に触れた場合には危険である。また、手動式移動棚に動作表示灯を付加する場合に、商用電源が必要となりランニングコストが生じるため、手動式移動棚の大きなメリットが損なわれてしまう。  
本発明は上述の問題点を解決し、手動式移動棚の安全性を高める機能として、電源、電池、バッテリ等を不要としつつ、安全性を高めるための動作表示灯を備えた手動式移動棚の提供を目的とする。
【課題を解決するための手段】
【０００６】
請求項１記載の発明は、操作ハンドルと、前記操作ハンドルと一体的に構成され前記操作ハンドルを回転することによって回転するハンドル回転軸と、前記ハンドル回転軸と連結された移動棚本体の底部に回転自在に支持された車輪軸が回転することにより移動可能な手動式移動棚において、発電回転軸と、前記発電回転軸に取り付けられ前記発電回転軸の回転に伴い発電を行う発電機と、前記移動棚本体に視認可能に取り付けられた表示器とを有し、前記手動式移動棚が移動中に前記発電機によって得られる電力によって前記表示器が点灯または点滅することを特徴とする。
【０００７】
請求項２記載の発明は、請求項１記載の手動式移動棚において、さらに前記発電回転軸は前記操作ハンドルと一体的に構成されていることを特徴とする。
【０００８】
請求項３記載の発明は、請求項２記載の手動式移動棚において、さらに前記ハンドル回転軸と前記発電回転軸との間には減速機構が配設されていることを特徴とする。
【０００９】
請求項４記載の発明は、請求項１記載の手動式移動棚において、さらに前記発電回転軸は前記車輪軸であることを特徴とする。
【００１０】
請求項５記載の発明は、請求項１ないし４の何れか一つに記載の手動式移動棚において、さらに前記表示器は棚の正面に配設されていることを特徴とする。
【００１１】
請求項６記載の発明は、請求項５記載の手動式移動棚において、さらに前記表示器は２個以上設けられており、棚が右行する場合には右行用の表示器が作動し、棚が左行する場合には左行用の表示器が作動することを特徴とする。
【００１２】
請求項７記載の発明は、請求項６記載の手動式移動棚において、さらに前記表示器は、棚が右行する場合には右行用の色で点灯し、棚が左行する場合には左行用の色で点灯することを特徴とする。
【００１３】
請求項８記載の発明は、請求項１ないし７の何れか一つに記載の手動式移動棚において、さらに前記表示器の光源はＬＥＤであることを特徴とする。
【発明の効果】
【００１４】
本発明によれば、手動式移動棚を移動すべくハンドルを回した際に表示器が点灯するので、電源、電池、バッテリ等を不要としつつ安全性を高める機能として動作表示を行うことができ、ランニングコストをかけることなく安全性を高めることができる。
【図面の簡単な説明】
【００１５】
【図１】本発明の一実施形態を適用可能な手動式移動棚の概略図である。
【図２】本発明の一実施形態に用いられる手動式移動棚のハンドル近傍における概略図である。
【図３】本発明の第１の実施形態に用いられる手動式移動棚を説明する概略図である。
【図４】本発明の第１の実施形態に用いられる電気回路の概略図である。
【図５】本発明の第２の実施形態に用いられる手動式移動棚を説明する概略図である。
【図６】本発明の第２の実施形態に用いられる電気回路の概略図である。
【図７】本発明の第３の実施形態に用いられる機械的スイッチの概略図である。
【図８】本発明の第４の実施形態に用いられる機械的スイッチの概略図である。
【図９】本発明の第５の実施形態に用いられるハンドル近傍の概略図である。
【発明を実施するための形態】
【００１６】
図１は、本発明の一実施形態を採用した手動式移動棚を示している。同図において（ａ）は正面図を、（ｂ）は側面図を、（ｃ）は底面図をそれぞれ示している。
【００１７】
手動式移動棚１の前面パネル２には、移動の際に操作者によって把持され、棚を移動させる方向と同方向に回転されるハンドル３が設けられている。ハンドル３には、図２に示すように回転軸であるハンドル軸４が一体的に設けられており、ハンドル軸４は２個の軸受５によって前面パネル２に回転自在に取り付けられている。ハンドル軸４の中央部上にはスプロケット６が固設されており、ハンドル軸４の端部にはカップリング７を介して発電機であるダイナモ８が取り付けられている。
【００１８】
図１及び図２に示すように、スプロケット６の下方に位置する前面パネル２にはスプロケット９が取り付けられており、さらにその下方にはスプロケット６，９とほぼ同じ径の小径部１０ａとスプロケット６，９よりも大径の大径部１０ｂとを有する２段スプロケット１０が配設されている。スプロケット６，９及び大径部１０ｂにはチェーン１１が掛け渡されており、操作者によるハンドル３の回転力が２段スプロケット１０に伝達されるように構成されている。
【００１９】
２段スプロケット１０は、図１（ｃ）に示すように小径部１０ａと大径部１０ｂとを中間シャフト１０ｃにより一体的に繋いでおり、小径部１０ａの近傍には手動式移動棚１の底面に配置され駆動車輪１３が取り付けられる駆動軸１４に固定されたスプロケット１２が配設されている。小径部１０ａとスプロケット１２とにはチェーン１５が掛け渡されており、小径部１０ａの回転が駆動車輪１３に伝達されるように構成されている。手動式移動棚１の底面であって駆動車輪１３と対向する位置には、従動軸１７によって回転自在に支持された従動車輪１６が配設されている。
【００２０】
上述の構成より、図１（ａ）において操作者によってハンドル３が時計回り方向に回転されると、この回転力がハンドル軸４、スプロケット６，９、チェーン１１を介して大径部１０ｂに伝達され、さらに中間シャフト１０ｃ、小径部１０ａ、チェーン１５を介してスプロケット１２に伝達されて駆動車輪１３が回転して、手動式移動棚１が図１（ａ）において右行する。
【００２１】
図３は、本発明の第１の実施形態に用いられる手動式移動棚１８の正面図を、図４は手動式移動棚１８の電気回路図をそれぞれ示している。手動式移動棚１８において、上述した手動式移動棚１と同様の部位には同様の符号を付し、個々の詳細な説明は省略する。４連式の移動棚１８は、その前面パネル２にハンドル３及び表示器としての１個のＬＥＤランプ１９を有している。前面パネル２の下方には、駆動車輪１３及び従動車輪１６が設けられており、手動式移動棚１８は手動式移動棚１と同様に、操作者によってハンドル３が時計回り方向に回転されると図３（ａ）において右行する。図４において符号８はダイナモを示しており、ハンドル３の回転によりダイナモ８が発電し、ＬＥＤランプ１９が点灯する。
【００２２】
図３（ａ）は通路（５）が形成されている状態を示しているが、この状態から通路（３）を形成すべく手動式移動棚１８Ｃのハンドル３を時計回り方向に回転させると、手動式移動棚１８Ｃが右行すると共に、手動式移動棚１８Ｄもこれに押されて従動し、図３（ｃ）に示すように通路（３）が形成される。この移動時において手動式移動棚１８Ｄのハンドル３も回転し、各移動棚１８Ｃ，１８Ｄの各ハンドル３が回転することから各ダイナモ８が発電を行い、各移動棚１８Ｃ，１８Ｄの各ＬＥＤランプ１９が点灯する。
【００２３】
図５は、本発明の第２の実施形態に用いられる手動式移動棚２０の正面図を、図６は手動式移動棚２０の電気回路図をそれぞれ示している。手動式移動棚２０において、上述した手動式移動棚１と同様の部位には同様の符号を付し、個々の詳細な説明は省略する。４連式の移動棚２０は、その前面パネル２にハンドル３及び表示器としての２個のＬＥＤランプ２１ａ，２１ｂを有している。前面パネル２の下方には、駆動車輪１３及び従動車輪１６が設けられており、手動式移動棚２０は手動式移動棚１と同様に、操作者によってハンドル３が時計回り方向に回転されると図５（ａ）において右行する。図６において符号８はダイナモを、符号２２はインクリメンタル式のエンコーダを示しており、ハンドル３の回転によりダイナモ８が発電し、エンコーダ２２の検知に基づいて手動式移動棚２０が左行する際にはＬＥＤランプ２１ａが、右行する際にはＬＥＤランプ２１ｂが点灯する。
【００２４】
図５（ａ）は通路（５）が形成されている状態を示しているが、この状態から通路（２）を形成すべく手動式移動棚２０Ｂのハンドル３を時計回り方向に回転させると、手動式移動棚２０Ｂが右行すると共に、手動式移動棚２０Ｃ，２０Ｄもこれに押されて従動し、図５（ｃ）に示すように通路（２）が形成される。この移動時において手動式移動棚２０Ｃ，２０Ｄのハンドル３も回転し、各移動棚２０Ｂ，２０Ｃ，２０Ｄの各ハンドル３が回転することから各ダイナモ８が発電を行い、エンコーダ２２が各移動棚２０Ｂ，２０Ｃ，２０Ｄの移動方向を判断することから、図５（ｂ）に示すように各移動棚２０Ｂ，２０Ｃ，２０Ｄの各ＬＥＤランプ２１ｂが点灯する。なお、図５（ｃ）に示す状態から各移動棚２０Ｂ，２０Ｃ，２０Ｄの何れかのハンドル３が反時計回り方向に回転されて左行する場合には、移動する移動棚２０のＬＥＤランプ２１ａが点灯する。
【００２５】
上述の構成より本発明の各実施形態によれば、手動式移動棚１８，２０を移動すべくハンドル３を回した際にＬＥＤランプ１９，２１が点灯するので、電源、電池、バッテリ等を不要としつつ安全性を高める機能として動作表示を行うことができ、ランニングコストをかけることなく安全性を高めることができる。上記各実施形態では、ハンドル３を回した際にＬＥＤランプ１９，２１を点灯させる構成としたが、ＬＥＤランプ１９，２１を点滅させる構成としてもよい。
【００２６】
さらに、上記各実施形態ではハンドル軸４にダイナモ８を取り付ける構成を示したが、ダイナモ８を中間シャフト１０ｃまたは駆動軸１４または従動軸１７に取り付けても同様の作用効果を得ることができる。さらに、第２の実施形態では手動式移動棚２０が左行する際にＬＥＤランプ２１ａが、右行する際にＬＥＤランプ２１ｂがそれぞれ点灯する構成としたが、各ＬＥＤランプ２１ａ，２１ｂに代えて、左行する際には左行用の色で点灯し右行する際には右行用の色で点灯する他色ＬＥＤランプを用いてもよい。
【００２７】
上述した第２の実施形態では、手動式移動棚２０が２個のＬＥＤランプ２１ａ，２１ｂを有し、棚の移動方向をエンコーダ２２によって電気的に検知して何れかのＬＥＤランプ２１ａ，２１ｂを点灯させる構成としたが、エンコーダ２２に代えて機械的に棚の移動方向を検知する構成を採用してもよい。以下にその例を示す。
【００２８】
図７は、本発明の第３の実施形態に用いられる手動式移動棚２３を示している。手動式移動棚２３は、前面パネル２の表面側にＬＥＤランプ２１ａ，２１ｂと同様の図示しない２個のＬＥＤランプを備えており、ハンドル３を回転させることによってハンドル軸４に取り付けられた図示しないダイナモが発電を行い、棚の移動方向に応じて何れかのＬＥＤランプが点灯する。
【００２９】
前面パネル２の裏面側であって、ハンドル軸４のハンドル３が取り付けられた位置と図示しないダイナモが取り付けられた位置との間の位置には、複数枚（本例では１６枚）の羽根部材２４が取り付けられている。羽根部材２４は、鉄板や高硬度樹脂板等のある程度の剛性を備えた弾性部材によって構成されている。ハンドル軸４を中心として３時と９時の位置には、左行リミットスイッチ２５と右行リミットスイッチ２６とが配設されている。左行リミットスイッチ２５はドグ２５ａを有しており、その上方には基端を前面パネル２に揺動自在に支持され自由端をドグ２５ａに載置させたスイッチ板２７が配設されている。右行リミットスイッチ２６はドグ２６ａを有しており、その上方には基端を前面パネル２に揺動自在に支持され自由端をドグ２６ａに載置させたスイッチ板２８が配設されている。各スイッチ板２７，２８はポリエチレンテレフタラート等の弾性変形可能な樹脂板によって形成されており、その自由端が回転する羽根部材２４と接触可能となるように配設されている。
【００３０】
上述の構成より、ハンドル３が操作者によって図７の矢印方向（前面パネル２の表面側から見て時計回り方向）に回転されると、ハンドル軸４に取り付けられた羽根部材２４がスイッチ板２８に接触してこれを下方へと押し下げ、ドグ２６ａが押し下げられて右行リミットスイッチ２６がオンする。ドグ２６ａが押し下げられた後、スイッチ板２８が弾性変形して羽根部材２４が通過する。一方、スイッチ板２７に接触した羽根部材２４はこれを押し上げ、これによりドグ２５ａが押し下げられずに左行リミットスイッチ２５はオンしない。これにより、手動式移動棚２３が右方へと移動されていることが検知される。また、ハンドル３が図７の矢印とは反対方向（前面パネル２の表面側から見て反時計回り方向）に回転された場合にはこの逆となる。この構成により、第２の実施形態と同様の作用効果を得ることができる。
【００３１】
図８は、本発明の第４の実施形態に用いられる手動式移動棚２９を示している。手動式移動棚２９は、前面パネル２の表面側にＬＥＤランプ２１ａ，２１ｂと同様の図示しない２個のＬＥＤランプを備えており、ハンドル３を回転させることによってハンドル軸４に取り付けられた図示しないダイナモが発電を行い、棚の移動方向に応じて何れかのＬＥＤランプが点灯する。
【００３２】
前面パネル２の裏面側であって、ハンドル軸４のハンドル３が取り付けられた位置と図示しないダイナモが取り付けられた位置との間の位置には、円板３０が取り付けられている。円板３０の一方の面には４枚の羽根部材３１が等間隔で取り付けられており、円板３０の他方の面にも４枚の羽根部材３２が等間隔で取り付けられている。羽根部材３１と羽根部材３２とはお互いの位相が４５度ずれる態様でそれぞれ放射状に配置されており。各羽根部材３１，３２は鉄板や高硬度樹脂板等のある程度の剛性を備えた弾性部材によって構成されている。羽根部材３１は図８（ａ）に示す起立した状態から反時計回り方向へのみ回動時自在に構成されており、羽根部材３２は同状態から時計回り方向へのみ回動自在に構成されている。
【００３３】
ハンドル軸４の上方の位置には、右行スイッチ３３と左行スイッチ３４とが配設されている。右行スイッチ３３は羽根部材３１と当接可能な位置に配置されており、左行スイッチ３４は羽根部材３２と当接可能な位置に配置されている。スイッチ３３，３４はある程度の強度を持った弾性部材によって形成されている。
【００３４】
上述の構成より、ハンドル３が操作者によって図８の反時計回り方向（前面パネル２の表面側から見て時計回り方向）に回転されると、円板３０に取り付けられた羽根部材３１が右行スイッチ３３に接触してこれを上方へと押し上げ、図８（ｂ）に示すように右行スイッチ３３がオンする。右行スイッチ３３が押し上げられた後、羽根部材３２が左行スイッチ３４に当接するが、羽根部材３２はスイッチ３４に当接して倒れるために右行スイッチ３３のオン状態が継続される。これにより、手動式移動棚２９が右方へと移動されていることが検知される。また、ハンドル３が図８の時計回り方向（前面パネル２の表面側から見て反時計回り方向）に回転された場合にはこの逆となる。この構成により、第２の実施形態と同様の作用効果を得ることができる。
【００３５】
図９は、本発明の第５の実施形態を示している。この第５の実施形態において、第１の実施形態と同様の部位には同様の符号を付し、個々の詳細な説明は省略する。前面パネル２にはハンドル３が設けられており、ハンドル３には２個の軸受５によって前面パネル２に回転自在に取り付けられたハンドル軸４が一体的に設けられている。ハンドル軸４には２段スプロケット３５が固設されており、２段スプロケット３５の小径部と対応する位置にはスプロケット９が、大径部と対応する位置にはスプロケット３６が取り付けられた発電回転軸であるシャフト３７を介してダイナモ８が取り付けられている。上述の構成より、２段スプロケット３５の大径部とスプロケット３６とによって減速機構が構成され、ハンドル３を回転させる速度が低速であってもＬＥＤランプ１９，２１を点灯または点滅させるに十分な電力を得ることができる。
【００３６】
上記各実施形態では、移動させる手動式移動棚のハンドルを回転させるとこの手動式移動棚に従動して移動する手動式移動棚のハンドルも回転する構成を示したが、例えばハンドルに対して車輪側からの回転力を伝達させないワンウェイクラッチを内蔵することにより、従動して移動する手動式移動棚のハンドルを回転させない構成とすることも可能である。
【符号の説明】
【００３７】
１，１８，２０，２３，２９  手動式移動棚
３  ハンドル
４  発電回転軸（ハンドル軸）
８  発電機（ダイナモ）
１４  駆動軸
１７  従動軸
１９，２１  表示器（ＬＥＤランプ）
３７  発電回転軸（シャフト）
【図１】
2015033523.tif 000003
【図２】
2015033523.tif 000004
【図３】
2015033523.tif 000005
【図４】
2015033523.tif 000006
【図５】
2015033523.tif 000007
【図６】
2015033523.tif 000008
【図７】
2015033523.tif 000009
【図８】
2015033523.tif 000010
【図９】
2015033523.tif 000011